(57)【特許請求の範囲】
【請求項１】
所定の基板と、前記基板上に形成された少なくとも１組の光透過層と記録層とを有する光記録媒体であって、
光を集光させて情報を記録再生する際に光を集光する所定のレンズ間の距離を調整するための前記光透過層の層厚情報と前記光透過層の屈折率情報とを記録し、
前記光透過層の層厚情報は、
前記光記録媒体の製造前に確定する光透過層の層厚値と、
製造後に前記光記録媒体を検査した前記光透過層の層厚値および製造後に前記光記録媒体を検査した前記光透過層の層厚むらのうち少なくともいずれかと
であり、
製造前に確定する前記光透過層の層厚値情報の記録ピットは、通常の情報の記録ピットよりも大きく形成されていることを特徴とする光記録媒体。
【請求項２】
前記光透過層の層厚情報と前記光透過層の屈折率情報とを記録する領域は、情報を記録する情報記録領域と異なる領域であることを特徴とする請求項１記載の光記録媒体。
【請求項３】
製造後に前記光記録媒体を検査した光透過層の層厚むらは、ディスク径方向で発生する光透過層の層厚むらであることを特徴とする請求項１または２に記載の光記録媒体。
【請求項４】
前記光透過層の層厚情報と前記光透過層の屈折率情報とを記録する領域は、
前記光記録媒体の製造前に確定する光透過層の層厚値、前記光透過層の屈折率を記録する第１の記録領域と、
製造後に前記光記録媒体を検査した光透過層の層厚値、製造後に前記光記録媒体を検査した光透過層の層厚むらを記録する第２の記録領域とからなることを特徴とする請求項１〜３のいずれかに記載の光記録媒体。
【請求項５】
前記第１の記録領域は、製造時にプリフォーマットされる記録領域であることを特徴とする請求項４記載の光記録媒体。
【請求項６】
前記第２の記録領域は、製造後に追記可能に記録される記録領域であることを特徴とする請求項４記載の光記録媒体。
【請求項７】
前記光記録媒体が複数組の光透過層と記録層とを有する場合、前記複数の記録層のいずれかに、前記光透過層の層厚情報と前記光透過層の屈折率情報とを記録することを特徴とする請求項１〜６のいずれかに記載の光記録媒体。
【請求項８】
前記請求項１〜７のいずれかに記載の光記録媒体に対して、２つのレンズを介して、光を集光させて情報を記録再生する光記録再生装置において、
所定の基板と、前記基板上に形成された少なくとも１組の光透過層と記録層とを有する前記光記録媒体にそれぞれ記録された、通常の情報よりも大きい記録ピットにて形成される製造前に確定する光透過層の層厚値情報と、製造後に前記光記録媒体を検査した光透過層の層厚値情報および製造後に前記光記録媒体を検査した前記光透過層の層厚むら情報のうち少なくともいずれかと、光透過層の屈折率情報とに基づいて、前記２つのレンズのレンズ間距離を調整することを特徴とする光記録再生装置。
【発明の詳細な説明】
【０００１】
【発明の属する技術分野】
本発明は、光記録媒体および光記録媒体に情報を記録再生する光記録再生装置に関するものである。
【０００２】
【従来の技術】
近年、光学的手段を用いて、光ディスクに高密度に記録する光ディスク装置として、ＤＶＤ（Ｄｉｇｉｔａｌ  Ｖｉｄｅｏ  Ｄｉｓｃ）が実用化されている。また、ＤＶＤの対物レンズより、高開口数の対物レンズを用いて、ディスク記録層面上に集光されるレーザースポット径を小さくし、高密度記録再生を行なう光ディスク装置が提案されている。
【０００３】
一般に、光学ピックアップにて集光されるレーザースポット径は、
λ／ＮＡ  …（１）
で与えられる。ここでλはレーザー光の波長であり、ＮＡは光学ピックアップの対物レンズの開口数である。
【０００４】
上記式（１）に示すように、対物レンズの開口数（ＮＡ）を大きくすることにより、レーザースポット径を小さく集光し、光ディスクに照射することにより、光ディスク上の記録ピットを小さくして高密度記録再生を図っている。
【０００５】
しかし、対物レンズに用いられている単一の非球面レンズにおいて、開口数０．６以上のレンズを製造することは難しい状態にあり、また、レーザー光の波面収差を許容値の範囲内に収めるため、開口数が大きくなる程、光ディスクの光透過層を薄くする必要がある。
【０００６】
ところで、高開口数の対物レンズは、顕微鏡等で用いている２群以上のレンズ構成で可能となるが、対物レンズの大きさ、重量から、光学ピックアップに用いるには、小型軽量化が必要である。
【０００７】
２群、２枚構成での高開口数対物レンズは、球面収差を補正する目的で、２枚のレンズ間隔をどちらか一方のレンズを可動し、波面収差を補正する収差補正機構が内蔵されている。所定の光透過層の層厚以外のディスクを再生する場合、光透過層で発生する球面収差を補正している。特に、光透過層と記録層が各２層以上の多層ディスクでは、収差補正機構が無ければ、両方の光透過層での球面収差を低減することは困難である。
【０００８】
しかし、光ディスクの光透過層の層厚、屈折率は光ディスクの材料、製造方法で多種の光透過層の層厚、及び屈折率を持つ光ディスクや、製造時に発生する光透過層の層厚むらがある光ディスクが存在するため、光ディスクを交換するたびに、フォーカス補正、及び球面収差補正を行なう必要があった。
【０００９】
そこで、例えば特開平９−２５１６４５号公報では、２群、２枚構成での球面収差補正方法として、フォーカス、トラッキングサーボロック後に、収差補正機構に搭載されたレンズを一定の周期で初期値から増減させ、再生されるＲＦ信号の振幅が最大値になる２群間のレンズ距離、すなわち、球面収差の少ない位置にレンズを調整している。
【００１０】
【発明が解決しようとする課題】
しかし、上記方法では、収差補正時に２群間の距離を決める収差補正機構のレンズ間隔初期値は、光ディスクの光透過層の層厚及び屈折率設計値から算出された値であり、実際には光ディスクの光透過層の層厚値の差、光透過層の層厚むら、光透過層の材質による屈折率値の差などの要因により、初期値は光ディスクによって変化させる必要がある。
【００１１】
また、又ディスク径方向で光透過層の層厚むらがあるディスクでは球面収差調整後に光透過層の層厚変化により、球面収差が増加し、正確な情報の記録再生が行えない。
【００１２】
また、無記録の光ディスク、及び１トラック内で反射率の変化があるディスクでは、再生されるＲＦ信号が最大値になる状態が必ずしも球面収差が少なくなる２群レンズ間距離とはならず、収差補正ができないといった問題があった。
【００１３】
本発明は、このような問題に鑑みてなされたものであり、２群レンズを用いた場合において、情報を正確に記録または再生することができるようにするものである。
【００１４】
【課題を解決するための手段】
本発明は上記目的を達成させるためになされたものであって、請求項１記載の発明は、所定の基板と、その基板上に形成された少なくとも１組の光透過層と記録層とを有する光記録媒体であって、光を集光させて情報を記録再生する際に光を集光する所定のレンズ間の距離を調整するための前記光透過層の層厚情報と前記光透過層の屈折率情報とを記録し、前記光透過層の層厚情報は、前記光記録媒体の製造前に確定する光透過層の層厚値と、製造後に前記光記録媒体を検査した前記光透過層の層厚値および製造後に前記光記録媒体を検査した光透過層の層厚むらのうち少なくともいずれかとであり、製造前に確定する前記光透過層の層厚値情報の記録ピットは、通常の情報の記録ピットよりも大きく形成されていることを特徴とする光記録媒体である。
【００１５】
また、請求項２記載の発明は、前記光透過層の層厚情報と前記光透過層の屈折率情報とを記録する領域は、情報を記録する情報記録領域と異なる領域であることを特徴とする請求項１記載の光記録媒体である。
【００１６】
また、請求項３記載の発明は、製造後に前記光記録媒体を検査した光透過層の層厚むらは、ディスク径方向で発生する光透過層の層厚むらであることを特徴とする請求項１または２に記載の光記録媒体である。
【００１７】
また、請求項４記載の発明は、前記光透過層の層厚情報と前記光透過層の屈折率情報とを記録する領域は、前記光記録媒体の製造前に確定する光透過層の層厚値、前記光透過層の屈折率を記録する第１の記録領域と、製造後に前記光記録媒体を検査した光透過層の層厚値、製造後に前記光記録媒体を検査した光透過層の層厚むらを記録する第２の記録領域とからなることを特徴とする請求項１乃至３記載の光記録媒体である。
【００１８】
また、請求項５記載の発明は、前記第１の記録領域は、製造時にプリフォーマットされる記録領域であることを特徴とする請求項４記載の光記録媒体である。
【００１９】
また、請求項６記載の発明は、前記第２の記録領域は、製造後に追記可能に記録される記録領域であることを特徴とする請求項４記載の光記録媒体である。
【００２０】
また、請求項７記載の発明は、前記光記録媒体が複数組の光透過層と記録層とを有する場合、前記複数の記録層のいずれかに、前記光透過層の層厚情報と前記光透過層の屈折率情報とを記録することを特徴とする請求項１乃至６記載の光記録媒体である。
【００２１】
また、請求項８記載の発明は、前記請求項１〜７のいずれかに記載の光記録媒体に対して、２つのレンズを介して、光を集光させて情報を記録再生する光記録再生装置において、所定の基板と、前記基板上に形成された少なくとも１組の光透過層と記録層とを有する前記光記録媒体にそれぞれ記録された、通常の情報よりも大きい記録ピットにて形成される製造前に確定する光透過層の層厚値情報と、製造後に前記光記録媒体を検査した光透過層の層厚値情報および製造後に前記光記録媒体を検査した光透過層の層厚むら情報のうち少なくともいずれかと、光透過層の屈折率情報とに基づいて、前記２つのレンズのレンズ間距離を調整することを特徴とする光記録再生装置である。
【００２２】
【発明の実施の形態】
以下、図をもとに本発明について説明する。なお、これによって本発明は限定されるものではない。
【００２３】
なお、ここでは、光記録媒体として光ディスクを例に、光記録再生装置として光ディスク装置を例にあげて説明する。
【００２４】
本発明の光ディスクは１乃至２以上の情報記録層が重ねられた構成による光ディスクである。
【００２５】
図１は本発明の光ディスク断面図であり、図２は光ディスクの上面図である。図１および２において、光ディスク１の情報を記録する層は、レーザー照射側より第１の透過層２、第１の情報記録層３、第２の光透過層４、第２の情報記録層５が重ねられた構成で、接着性樹脂によって基板６に接合されている。第１乃至第２の光透過層の層厚、屈折率情報は情報記録領域７以外の製造情報記録領域８に製造時に記録されている。
【００２６】
図１では、製造情報記録層９を第１の情報記録層３側に設けてあるが、第２の情報記録層５側もしくは２層以上の情報記録層の場合、どの情報記録層側に設けてもよい。
【００２７】
図３に本発明の他の光ディスクの上面図を示す。図３において、製造情報記録領域８に記録される情報は、光ディスク製造前に情報が確定している製造前情報と、製造後に光ディスクの検査を行った結果の製造後情報があり、製造情報記録領域８内で製造前情報記録領域１１と製造後情報記録領域１２に分けている。ここでは径方向に製造前情報記録領域１１と製造前情報記録領域１２に分けているが、回転角方向に分けてもよい。
【００２８】
ここで、製造前情報は、光透過層の層厚値（仕様値）と光透過層の屈折率値であり、製造前情報記録領域１１に記録される。製造前情報は、光ディスク製造時に、原盤の製造情報記録領域の一部に、エンボス及びピットにて記録される。エンボス及びピットの形状は、対物レンズで集光されたレーザービームに球面収差がある状態においても、読み取りが可能となるように大きくしてあり、更に、読み取りエラーがあった場合を考慮し、同じ内容の情報を繰り返し記録している。
【００２９】
一方、製造後情報は、製造後に光ディスクの光透過層の検査による光透過層の層厚平均値と光ディスク径方向で発生する透過層の層厚むら値であり、製造後情報記録領域１２に記録される。製造後情報は、製造情報記録層９をレーザー光によって記録可能な情報記録層にすれば、追記録が可能である。追記録する手段として、高パワーのレーザーを用いて製造情報記録層９に可逆性のない状態に記録する。
【００３０】
なお、製造前情報記録領域１１も情報記録層にする方法も考えられる。さらに、情報記録領域７と同等のレーザーのパワーで製造前、製造後情報を製造情報記録領域８に記録してもよい。
【００３１】
また、製造後情報として、製造後に光ディスクの光透過層の検査による光透過層の層厚平均値と光ディスク径方向で発生する透過層の層厚むら値を用いているが、光透過層の層厚平均値の代わりに、光ディスクの任意の複数位置の透過層の層厚値を記録してもよい。
【００３２】
また、光透過層の層厚情報として、光透過層の層厚値（仕様値）と、製造後に光ディスクの光透過層の検査による光透過層の層厚平均値および光ディスク径方向で発生する透過層の層厚むら値のうち少なくともいずれかとであればよい。
【００３３】
次に、上述した光ディスクを用いた光ディスク装置の説明を行なう。図４は本発明の光ディスク装置の構成例を示すブロック図である。
【００３４】
図４において  光ディスク１は、スピンドルモーター１３により、所定の速度で回転するようになされている。
【００３５】
ピックアップ１４は光ディスク１に対して、レーザー光を照射し、情報を記録または、光ディスク１に記録された情報を再生するようになされている。ピックアップ１４には対物レンズ１５を搭載したアクチュエータ１６が内蔵され、対物レンズ１５を焦点方向とディスク径方向に可動し、対物レンズ１５からのレーザービームを光ディスク１上に集光している。ピックアップ１４内には図示していないが、基本的なピックアップ１４の構成部品である、レーザーダイオード、ビームスプリッタ、ＲＦ及びサーボ用のホトディテクタ、レンズ等が配置されている。
【００３６】
エラー生成回路１７はピックアップ１４に内蔵されているサーボ用ホトディテクタからの信号から、実施例では非点収差法でフォーカスエラー信号と、プッシュプル法にてトラッキングエラー信号と、信号和であるトータル信号とを生成する。
【００３７】
フォーカス制御回路１８、トラッキング制御回路１９は、エラー生成回路１７で生成されたフォーカスエラー信号及びトラッキングエラー信号をもとに、アンプ２０を介して、アクチュエータ１６に搭載された対物レンズ１５の位置を制御し、レーザービームを光ディスク１の記録層に所定の位置に制御するものである。
【００３８】
収差補正機構駆動回路２４は２群のレンズ構成の対物レンズ１５の１方のレンズを可動し、２群レンズ間隔を補正し、光ディスク１に照射されレーザービームの収差を補正するものである。
【００３９】
ＲＦヘッドアンプ２１は、ピックアップ１４内のＲＦ用ホトディテクタからの光ディスク１の記録層の記録された情報を検出したＲＦ信号を増幅し、信号処理回路２２に出力する。信号処理回路２２はＲＦ信号から情報に変換する処理等を行なう。
【００４０】
制御マイコン２３は光ディスク装置を管理、コントロールするものである。
【００４１】
さらに、光ディスク装置は、ＲＡＭ２５、ＲＯＭ２６、フォーカスループスイッチ２７、加算器２８、トラッキングループスイッチ２９を備える。
【００４２】
なお、ここでは、記録系回路、レーザー駆動回路等は図示していない。
【００４３】
図５はアクチュエータの対物レンズ部の詳細な構成図である。図５において、対物レンズ１５は第１レンズホルダ３０で保持された第１レンズ３１と第２レンズホルダ３２で保持された第２レンズ３３で構成された高開口数の対物レンズである。収差補正アクチュエータ３４を駆動すると、第１レンズ３１の位置が変位し、第１レンズ３１と第２レンズ３３の間隔が変化し、収差補正が可能となる。
【００４４】
上述した構成の光ディスク装置の動作を説明する。
【００４５】
まず、光ディスク１が挿入されると、光ディスク１に記録された製造情報を制御マイコン２３に取り込む処理を行なう。取り込む処理の手順については図７の処理手順を持って説明する。
【００４６】
最初にステップＳ１において、制御マイコン２３はスピンドルモーター１３を制御し、光ディスク１を所定の速度で回転させる。
【００４７】
次に、ステップＳ２に進み、制御マイコン２３はピックアップ送り機構を駆動し、ピックアップ１４を光ディスク１の製造情報記録領域８に移動させる。
【００４８】
次に、ステップＳ３に進み、制御マイコン２３は収差補正アクチュエータ３４の初期値を出力する。この初期値は制御マイコン２３のプログラム内に記録されているものであり、収差補正機構駆動回路２４、収差補正アクチュエータ３４により、第１レンズ３３の位置を変位させ、第１レンズ３１と第２レンズ３３の間隔を初期値に設定する。なお、この初期値は収差補正アクチュエータ３４可動範囲のセンター位置となる値である。
【００４９】
次に、ステップＳ４に進み、制御マイコン２３はフォーカスサーボを起動させる。すなわち制御マイコン２３はフォーカスループスイッチ２７をオフした状態で、対物レンズ１５を光ディスク１から最も離れた位置から光ディスク１に接近する方向に駆動信号を発生させる。この駆動信号は加算器２８から入力され、アンプ２０で増幅後アクチュエータ１６に供給され、対物レンズ１５を光ディスク１に接近する方向に移動させる。
【００５０】
エラー生成回路１７のトータル信号とフォーカスエラー信号は対物レンズ１５と光ディスク１の位置関係で図６に示される信号となる。図６（Ｂ）に示されるように、トータル信号は合焦位置近傍で最大の値となる。エラー生成回路１７では、トータル信号値が所定の検出レベルより大きくなった場合、図６（Ｃ）に示す検出信号を生成し、制御マイコン２３に出力する。
【００５１】
制御マイコン２３では検出信号が入力されると、駆動信号の供給を停止すると共に、フォーカスループスイッチ２７をオンさせる。フォーカスループスイッチ２７がオンされると、エラー生成回路１７で生成されたフォーカスエラー信号をもとに、フォーカス制御回路１８では、位相補償、ゲイン補正を行ったエラー信号をアンプ２０に出力し、アクチュエータ１６を駆動し、対物レンズ１５を合焦位置に制御するフォーカスサーボループが形成される。
【００５２】
制御マイコン２３はステップＳ５において、フォーカスサーボがロックしているかをステップＳ４で生成された検出信号によって判定し、ロックしていなければ、前述のステップＳ４の処理を再度行なう。さらに所定の時間経過後に、同様にフォーカスサーボのロックを判定し、ロックしていなければ、ステップＳ７のエラー処理をおこなった後、停止させる。
【００５３】
ステップＳ５にてロックしていれば、ステップＳ８に進み、制御マイコン２３はエラー生成回路１７の出力するフォーカスエラー信号をモニターし、そのレベルがゼロクロスするタイミングで、トラッキングループスイッチ２９をオンにする。その結果、エラー生成回路１７で生成されたトラッキングエラー信号をもとにトラッキング制御回路１９では、位相補償、ゲイン補正を行ったエラー信号をアンプ２０に出力し、アクチュエータ１６を駆動し、対物レンズ１５をトラックセンター位置に制御するトラッキングサーボループが形成される。
【００５４】
次に、ステップＳ９に進み、制御マイコン２３は、フォーカスサーボがロックしているかをトラッキングエラー信号のレベルをモニターをし、トラッキングエラー信号のレベルが所定の範囲内の値であるかで判定し、ロックしていなければ、前述のステップＳ８の処理を再度行なう。さらに所定の時間経過後に、同様にトラッキングサーボのロックを判定し、ロックしていなければ、ステップＳ１１のエラー処理をおこなった後、停止させる。
【００５５】
次に、ステップＳ１２では、光ディスク１に記録されている製造情報はＲＦアンプ２１を介して、信号処理回路２２に入力される。信号処理回路２２では、入力されたＲＦ信号を製造情報に復調し、製造情報を制御マイコン２３に出力する。
【００５６】
以上の処理で、光ディスク１の製造情報記録領域８に記録された製造情報を制御マイコン２３に取り込む。
【００５７】
制御マイコン２３は取り込んだ製造情報をＲＡＭ２５に格納する。格納される製造情報は、光透過層の層厚の仕様値、光透過層の屈折率、光ディスク１の製造後に層厚検査を行った結果で得られる光ディスク１の径方向での層厚の平均値と層厚むらである。
【００５８】
２群の対物レンズ１５はレンズ設計時に光透過層の層厚と屈折率の異なる材料での、球面収差が少ない最適な２群レンズ間隔は求められるので、制御マイコン２３内にプログラミングもしくは、ＲＯＭ２６に光透過層の層厚と屈折率が変化した場合の最適２群レンズ間隔のデータテーブル又は近似計算式として記録する。図８にＲＯＭ２６に記録された光透過層の層厚と屈折率が変化した場合の最適２群レンズ間隔のデータテーブルを示す。
【００５９】
制御マイコン２３は取り込んだ製造情報のデータをもとに、制御マイコン２３内にプログラミングもしくは、ＲＯＭ２６の最適２群レンズ間隔のデータテーブル又は近似計算式より、球面収差が小さくなる最適２群間隔になる収差補正アクチュエータ３４に対する駆動値を出力する。
【００６０】
収差補正アクチュエータ３４の駆動値は、収差補正機構駆動回路２４、アンプ２０を介して、収差補正アクチュエータ３４を駆動し、第１レンズ３１を変位させ、第１レンズ３１と第２レンズ３３の間隔を球面収差が小さくなるように補正する。
【００６１】
次に、ステップＳ２に進み、制御マイコン２３はピックアップ送り機構を駆動し、ピックアップ１４を光ディスク１の情報記録領域７内の記録もしくは再生を行なうトラック位置に移動させる。
【００６２】
制御マイコン２３は記録もしくは再生を行なうトラックから光ディスク１の径を求め、使用するトラックにおける光透過層の層厚情報を格納したＲＡＭ２５より、使用するトラックの層厚情報を取り出す。
【００６３】
そして、制御マイコン２３内のプログラミングもしくはＲＯＭ２６に記録された最適２群レンズ間隔のデータテーブル又は近似計算式から、２群レンズの最適間隔に相当する収差補正アクチュエータの駆動値を出力し、２群レンズ間隔を調整する。
【００６４】
フォーカス動作、トラッキング動作については、図７ステップＳ４からステップＳ１１に記述しているので説明を省く。
【００６５】
そして、フォーカス、トラッキングサーボがロックすれば、２群の対物レンズで収差補正されたレーザービームにより、光ディスク１のトラックの記録層上に情報を記録、もしくは記録層に記録された情報を再生する。
【００６６】
なお、上記では、２群の対物レンズで収差補正を行っているが、１群の対物レンズとコリメータレンズとの間隔を調整して、収差補正を行っても、同等の効果が得られる。
【００６７】
【発明の効果】
以上のように、本発明の請求項１乃至７記載の発明では、光透過層の層厚情報と前記光透過層の屈折率情報とを予め光記録媒体に記録しているので、各光記録媒体毎に、光記録媒体に照射されるレーザービームの球面収差補正をおこなうことができ、正確な情報の記録もしくは再生ができる。
【００６８】
また、請求項８記載の発明では、光記録媒体に記録された光透過層の層厚情報と光透過層の屈折率情報に基づいて、２つのレンズのレンズ間距離を調整するので、各光記録媒体毎に、光記録媒体に照射されるレーザービームの球面収差補正をおこなうことができ、正確な情報の記録もしくは再生ができる。
【図面の簡単な説明】
【図１】本発明の光ディスクの断面図である。
【図２】本発明の光ディスクの上面図である。
【図３】本発明の他の光ディスク上面図である。
【図４】本発明の光ディスク装置のブロック構成図である。
【図５】２群の対物レンズの断面図である。
【図６】フォーカスサーボ信号の説明図である。
【図７】本発明の光ディスク装置起動時の処理手順の説明図である。
【図８】光透過層の層厚と屈折率が変化した場合の最適２群レンズ間隔のデータテーブルを示す図である。
【符号の説明】
１    光ディスク
２    第１の透過層
３    第１の記録層
４    第２の透過層
５    第２の記録層
６    基板
７    情報記録領域
８    製造情報記録領域
９    製造情報記録層
１０    中心孔
１１    製造前情報記録領域
１２    製造後情報記録領域
１３    スピンドルモータ−
１４    ピックアップ
１５    対物レンズ
１６    アクチュエータ
１７    エラー生成回路
１８    フォーカス制御回路
１９    トラッキング制御回路
２０    アンプ
２１    ＲＦアンプ
２２    信号処理回路
２３    制御マイコン
２４    収差補正機構駆動回路
２５    ＲＡＭ
２６    ＲＯＭ
２７    フォーカスループスイッチ
２８    加算器
２９    トラッキングループスイッチ
３０    第１レンズホルダ
３１    第１レンズ
３２    第２レンズホルダ
３３    第２レンズ
３４    収差補正アクチュエータ
【図１】
0003836995.tif 000002
【図２】
0003836995.tif 000003
【図３】
0003836995.tif 000004
【図４】
0003836995.tif 000005
【図５】
0003836995.tif 000006
【図６】
0003836995.tif 000007
【図７】
0003836995.tif 000008
【図８】
0003836995.tif 000009